(57)【要約】  本発明の目的の一つは、規格を逸脱することなく、キャリアセンスを適切なタイミングで予め行うことで、アンカーチャネルの切換処理を短時間で完了し、無線通信の効率化と安定性の向上を図ることである。  本発明の無線通信システム１００では、基地局１２０が、アンカーチャネルの通信品質が第１閾値以下となったことを検知すると、キャリアセンスを通じてＰＨＳ端末１１０と無線通信可能な１または複数の切換チャネル候補を抽出し、ＰＨＳ端末が、切換チャネル候補に対してキャリアセンスを行い、基地局と無線通信可能である切換チャネルを予め選択しておくことで、アンカーチャネルの通信品質が第１閾値より低い第２閾値以下となった場合においても、その切換チャネルへのチャネル切換を迅速に遂行することができ、切換処理を短時間で完了することが可能となる。
2009119767.tif 000002
【特許請求の範囲】
【請求項１】
移動局と、該移動局とＯＦＤＭＡ方式に基づく無線通信を行う基地局とを備える無線通信システムを用い、制御情報を送信する制御チャネルの通信品質の低下に応じて該制御チャネルの配置を切り換える無線通信方法であって、
前記基地局は、
制御チャネルの通信品質が第１閾値以下となった場合、キャリアセンスを通じて前記移動局と無線通信可能な１または複数の切換チャネル候補を抽出し、
前記切換チャネル候補を含む切換チャネル選択指令を前記移動局に送信し、
前記移動局は、前記基地局からの切換チャネル選択指令に応じ、前記切換チャネル候補に対してキャリアセンスを行い、該基地局と無線通信可能なチャネルである切換チャネルを含む選択応答を該基地局に送信し、
前記基地局は、
前記移動局からの選択応答を受信して、該選択応答に含まれる切換チャネルを保持し、
制御チャネルの通信品質が前記第１閾値より低い第２閾値以下となった場合、前記移動局に対して制御チャネルの前記切換チャネルへのチャネル切換指令を送信し、
前記移動局は、前記基地局からのチャネル切換指令に応じ、制御チャネルの前記切換チャネルへのチャネル切換を遂行する無線通信方法。
【請求項２】
前記移動局は、前記切換チャネル候補から、前記基地局と無線通信可能かつ通信品質が最良のチャネルを前記切換チャネルとして選択する請求項１に記載の無線通信方法。
【請求項３】
移動局と、該移動局とＯＦＤＭＡ方式に基づく無線通信を行う基地局とを備える無線通信システムを用い、制御情報を送信する制御チャネルの通信品質の低下に応じて該制御チャネルの配置を切り換える無線通信方法であって、
前記移動局は、
制御チャネルの通信品質が第１閾値以下となった場合、キャリアセンスを通じて前記基地局と無線通信可能な１または複数の切換チャネル候補を抽出し、
前記切換チャネル候補を含む切換チャネル選択指令を前記基地局に送信し、
前記基地局は、前記移動局からの切換チャネル選択指令に応じ、前記切換チャネル候補に対してキャリアセンスを行い、前記移動局と無線通信可能であるチャネルを切換チャネルとして保持し、
前記移動局は、
制御チャネルの通信品質が前記第１閾値より低い第２閾値以下となった場合、前記基地局に対して制御チャネルのチャネル切換要求を送信し、
前記基地局は、前記チャネル切換要求に応じて、前記移動局に対して制御チャネルの前記切換チャネルへのチャネル切換指令を送信し、
前記移動局は、前記基地局からのチャネル切換指令に応じ、制御チャネルの前記切換チャネルへのチャネル切換を遂行する無線通信方法。
【請求項４】
前記基地局は、前記切換チャネル候補から、前記移動局と無線通信可能かつ通信品質が最良のチャネルを前記切換チャネルとして保持する請求項３に記載の無線通信方法。
【請求項５】
前記移動局と、前記基地局はＯＦＤＭＡ方式を採用したＰＨＳ  ＭｏＵに基づく無線通信を行い、前記制御チャネルはアンカーチャネルである請求項１から４のいずれかに記載の無線通信方法。
【請求項６】
移動局と、該移動局とＯＦＤＭＡ方式に基づく無線通信を行う基地局とを備え、制御チャネルの通信品質の低下に応じて該制御チャネルの配置を切り換える無線通信システムであって、
前記基地局は、
制御チャネルの通信品質が第１閾値以下となった場合、キャリアセンスを通じて前記移動局と無線通信可能な１または複数の切換チャネル候補を抽出するチャネル抽出部と、
前記切換チャネル候補を含む切換チャネル選択指令を前記移動局に送信する選択指令送信部と、
前記移動局からの選択応答を受信して、該選択応答に含まれる切換チャネルを保持するチャネル保持部と、
制御チャネルの通信品質が前記第１閾値より低い第２閾値以下となった場合、前記移動局に対して制御チャネルの前記切換チャネルへのチャネル切換指令を送信する切換指令送信部と、
を備え、
前記移動局は、
前記基地局からの切換チャネル選択指令に応じ、前記切換チャネル候補に対してキャリアセンスを行い、前記基地局と無線通信可能なチャネルである切換チャネルを含む選択応答を該基地局に送信するチャネル選択部と、
前記基地局からのチャネル切換指令に応じ、制御チャネルの前記切換チャネルへのチャネル切換を遂行するチャネル切換遂行部と、
を備える無線通信システム。
【請求項７】
前記チャネル選択部は、前記切換チャネル候補から、前記基地局と無線通信可能かつ通信品質が最良のチャネルを前記切換チャネルとして選択する請求項６に記載の無線通信システム。
【請求項８】
移動局と、該移動局とＯＦＤＭＡ方式に基づく無線通信を行う基地局とを備え、制御チャネルの通信品質の低下に応じて該制御チャネルの配置を切り換える無線通信システムであって、
前記移動局は、
制御チャネルの通信品質が第１閾値以下となった場合、キャリアセンスを通じて前記基地局と無線通信可能な１または複数の切換チャネル候補を抽出するチャネル抽出部と、
前記切換チャネル候補を含む切換チャネル選択指令を前記基地局に送信する選択指令送信部と、
制御チャネルの通信品質が前記第１閾値より低い第２閾値以下となった場合、制御チャネルのチャネル切換要求を該基地局に対して送信する切換要求送信部と、
前記基地局からのチャネル切換指令に応じ、制御チャネルの該チャネル切換指令に含まれる切換チャネルへのチャネル切換を遂行するチャネル切換遂行部と、
を備え、
前記基地局は、
前記移動局からの切換チャネル選択指令に応じ、前記切換チャネル候補に対してキャリアセンスを行い、前記移動局と無線通信可能であるチャネルを切換チャネルとして保持するチャネル保持部と、
前記チャネル切換要求に応じて、前記移動局に対して制御チャネルの前記切換チャネルへのチャネル切換指令を送信する切換指令送信部と、
を備えることを特徴とする無線通信システム。
【請求項９】
前記チャネル保持部は、前記切換チャネル候補から、前記移動局と無線通信可能かつ通話品質が最良のチャネルを前記切換チャネルとして保持する請求項８に記載の無線通信システム。
【請求項１０】
前記基地局は、前記チャネル保持部が保持している切換チャネルの有効時間経過を判断する有効タイマをさらに備えることを特徴とする請求項６から９のいずれかに記載の無線通信システム。
【請求項１１】
前記移動局と、前記基地局はＯＦＤＭＡ方式を採用したＰＨＳ  ＭｏＵに基づく無線通信を行い、前記制御チャネルはアンカーチャネルである請求項６から１０のいずれかに記載の無線通信システム。
【請求項１２】
前記切換チャネル選択指令、選択応答、チャネル切換要求、またはチャネル切換指令は、エクストラチャネルを通じて送信されることを特徴とする請求項１１に記載の無線通信システム。
【発明の詳細な説明】
【技術分野】
【０００１】
本発明は、ＯＦＤＭＡ方式を用いた無線通信において、制御情報を送信する制御チャネルの通信品質の低下に応じて制御チャネルの配置を切り換える無線通信方法および無線通信システムに関する。
【背景技術】
【０００２】
近年、ＰＨＳ(Personal Handy phone System)や携帯電話等に代表される移動局が普及し、場所や時間を問わず通話や情報入手が可能となった。特に昨今では、入手可能な情報量も増加の一途を辿り、大容量のデータをダウンロードするため高速かつ高品質な無線通信方式が取り入れられるようになってきた。【０００３】
例えば、高速デジタル通信を可能とする次世代ＰＨＳ通信規格として、ＡＲＩＢ（Association of Radio Industries and Businesses）  ＳＴＤ  Ｔ９５やＰＨＳ  ＭｏＵ（Memorandum of Understanding）（A-GN4.00-01-TS Rev.3「Next Generation PHS Specifications」）がある。このような通信では、ＯＦＤＭ（Orthogonal Frequency Division Multiplexing:直交周波数分割多重）方式が採用されている。かかるＯＦＤＭは、多重化方式の一つに分類され、単位時間軸上で多数の搬送波を利用し、変調対象となる信号波の位相が隣り合う搬送波間で直交するように搬送波の帯域を一部重ね合わせて周波数帯域を有効利用する方式である。【０００４】
また、ＯＦＤＭが個別のユーザ毎に時分割でサブチャネルを割り当てているのに対して、複数のユーザが全サブチャネルを共有し、各ユーザにとって最も伝送効率のよいサブチャネルを割り当てるＯＦＤＭＡ(Orthogonal Frequency Division Multiplexing Access:直交周波数分割多元接続)も提供されている。【０００５】
ＡＲＩＢ  ＳＴＤ  Ｔ９５やＰＨＳ  ＭｏＵでは、送受信されるデータはフレーム単位に分割されており、フレームは、ＦＭ−ｍｏｄｅ（Fast access channel based on Map-Mode）における複数のＰＲＵ（Physical Resource Unit）から構成されている。また、適応変調に利用されるＭＣＳ（Modulation and Coding Scheme）や通信チャネルのマップ、エラー情報といった制御情報は、１つのＰＲＵを占有するアンカーチャネル（ANCH）（制御チャネル）を通じて移動局と基地局間で交換される。このような重要な制御情報を含むアンカーチャネルは、単なるデータの通信経路として利用されるエクストラチャネルより通信品質の高いＰＲＵが優先的に割り当てられる。【０００６】
しかし、移動局の移動や信号干渉等の通信環境の変化によってアンカーチャネルを割り当てたＰＲＵの通信品質が劣化する場合もある。基地局は、このようなアンカーチャネルの劣化を検知すると、アンカーチャネルを通信品質の良いＰＲＵに移行する、所謂アンカーチャネル切換を遂行する。上述した次世代ＰＨＳ通信規格において、アンカーチャネルの切換を遂行すると以下のような処理となる。【０００７】
図１０は、従来におけるアンカーチャネルのチャネル配置の変更処理を示したシーケンス図である。移動局は、基地局からのＳＣＣＨ（Signaling Control Channel）で指定されたチャネルに配置されたアンカーチャネルと、アンカーチャネルを介して指定されるエクストラチャネルとによって通信を遂行している（Ｓ１０）。ここで、基地局がアンカーチャネルの通信品質の劣化を検出すると（Ｓ１２）、キャリアセンスを行い、通信品質が最良となるチャネルが選択される（Ｓ１４）。そして、基地局は、ＥＤＣＨ（EXCH Data Channel）を通じて、選択されたチャネルを含むチャネル切換指令を移動局に送信する（Ｓ１６）。【０００８】
また、基地局では、チャネル切換指令の送信と同時に基地局応答確認タイマのカウントが開始される（Ｓ１８）。この基地局応答確認タイマは、チャネル切換指令に対して移動局からの応答が無いときタイムアウトし、そのチャネル切換処理を中止させ、引き続き旧チャネルによる通信を継続させる。【０００９】
移動局は、チャネル切換指令を受信すると、基地局応答確認タイマ同様、移動局応答確認タイマのカウントを開始し（Ｓ２０）、チャネル切換指令に応じ、チャネル切換指令に含まれるチャネルについてキャリアセンスを行い（Ｓ２２）、そのチャネルが通信可能であれば、かかるチャネルを新たなアンカーチャネルとして、旧アンカーチャネルと共にアップリンク送信を開始する（Ｓ２４）。このときの制御信号は同一の信号である。また、キャリアセンスによってそのチャネルが通信不能であることが把握されると、移動局は基地局に対してチャネルの再送要求を行う。【００１０】
新アンカーチャネルおよび旧アンカーチャネルによる制御信号を受信した基地局は、移動局同様、その新たなアンカーチャネルと旧アンカーチャネルとによるダウンリンク送信を開始する（Ｓ２６）。このときの制御信号も同一となる。【００１１】
移動局は、新アンカーチャネルおよび旧アンカーチャネルのダウンリンク制御信号を受信すると、ダウンリンク同期が確立したと判断して移動局応答確認タイマを停止する（Ｓ２８）。  そして、旧アンカーチャネルを切断、開放し（Ｓ３０）、その旨基地局に伝達する（Ｓ３２）。【００１２】
これを受けて基地局は、アップリンク同期が確立したと判断して基地局応答確認タイマを停止し（Ｓ３４）、旧アンカーチャネルを切断、開放する（Ｓ３６）。こうして新アンカーチャネルによる通信が確立される（Ｓ３８）。
【発明の開示】
【発明が解決しようとする課題】
【００１３】
しかし、上述したアンカーチャネル切換においては、基地局が通信品質の劣化を検知して、チャネルが切り換わるまで長時間（例えば、５フレーム以上）を要していた（図中両矢印太線で示す）。アンカーチャネル切換処理の間もそれとは独立して通常データの送受信を行うことができるが、通信品質が劣化したアンカーチャネルに基づいているので、好ましい通信環境とは言えなかった。【００１４】
このようにアンカーチャネルの切換に時間を要するのは、一つにキャリアセンスの占有時間が挙げられる。従って、基地局および移動局で常時キャリアセンスを行って、利用可能なチャネルを予め準備することも考えられるが、移動局に処理負荷がかかり過ぎ、また、電力を多大に消費する割に実益がないといった問題もあった。【００１５】
また、アンカーチャネル切換は、図１０に示したように基地局が主体となってその通信品質の劣化を検知するので、移動局側で通信品質が劣化したとしてもアンカーチャネルの切換を移動局側から要求する手段が存在しなかった。【００１６】
本発明は、このような問題に鑑み、規格を逸脱することなく、キャリアセンスを適切なタイミングで予め行うことで、アンカーチャネルの切換処理を短時間で完了し、無線通信の効率化と安定性の向上を図ることが可能な、無線通信方法および無線通信システムを提供することを一つの目的としている。
【課題を解決するための手段】
【００１７】
上記課題を解決するために、本発明の一の態様は、移動局と、移動局とＯＦＤＭＡ方式に基づく無線通信を行う基地局とを備える無線通信システムを用い、制御情報を送信する制御チャネルの通信品質の低下に応じて制御チャネルの配置を切り換える無線通信方法であって、基地局は、制御チャネルの通信品質が第１閾値以下となった場合、キャリアセンスを通じて移動局と無線通信可能な１または複数の切換チャネル候補を抽出し、切換チャネル候補を含む切換チャネル選択指令を移動局に送信し、移動局は、基地局からの切換チャネル選択指令に応じ、切換チャネル候補に対してキャリアセンスを行い、基地局と無線通信可能である切換チャネルを含む選択応答を基地局に送信し、基地局は、移動局からの選択応答を受信して、選択応答に含まれる切換チャネルを保持し、制御チャネルの通信品質が第１閾値より低い第２閾値以下となった場合、移動局に対して制御チャネルの切換チャネルへのチャネル切換指令を送信し、移動局は、基地局からのチャネル切換指令に応じ、制御チャネルの切換チャネルへのチャネル切換を遂行する。【００１８】
本発明では、通信品質が、制御チャネルの切換が必要となる第２閾値より前段階の第１閾値以下になった時点で制御チャネルの切換先候補（切換チャネル）が選択され、通信品質が第２閾値以下になるときには制御チャネルを直ちに切り換えることができる。このように、煩雑（常時または定期的）ではない適切なタイミングでキャリアセンスを行うことで、処理負荷や消費電力の増大を抑制しつつ、制御チャネルの切換処理を短時間で完了し、新たな制御チャネルの早期確立により無線通信の効率化と安定性の向上を図ることが可能となる。【００１９】
また、切換チャネルの選択において、基地局は、無線通信可能な複数の切換チャネル候補を抽出でき、移動局はその中から切換チャネルを選択することができるので、基地局が選択した１つのチャネルの採用可否を移動局が判断する従来の技術に比べて切換チャネルを適切に選択できる確率を大幅に高めることができる。【００２０】
本発明の他の態様は、移動局と、移動局とＯＦＤＭＡ方式に基づく無線通信を行う基地局とを備える無線通信システムを用い、制御情報を送信する制御チャネルの通信品質の低下に応じて制御チャネルの配置を切り換える無線通信方法であって、移動局は、制御チャネルの通信品質が第１閾値以下となった場合、キャリアセンスを通じて基地局と無線通信可能な１または複数の切換チャネル候補を抽出し、切換チャネル候補を含む切換チャネル選択指令を基地局に送信し、基地局は、移動局からの切換チャネル選択指令に応じ、切換チャネル候補に対してキャリアセンスを行い、移動局と無線通信可能であるチャネルを切換チャネルとして保持し、移動局は、制御チャネルの通信品質が第１閾値より低い第２閾値以下となった場合、基地局に対して制御チャネルのチャネル切換要求を送信し、基地局は、チャネル切換要求に応じて、移動局に対して制御チャネルの切換チャネルへのチャネル切換指令を送信し、移動局は、基地局からのチャネル切換指令に応じ、制御チャネルの切換チャネルへのチャネル切換を遂行する。【００２１】
上述した発明では基地局が通信品質の劣化を検知しているが、本発明では、移動局が通信品質の劣化を検知している。従って、通信品質の劣化を検知したノードが主体となって制御チャネルの切換準備を開始できるので、通信品質の悪いノード側、即ち、真に制御チャネル切換を必要とするノード側でそのトリガをかけることができる。【００２２】
本発明の他の態様は、移動局と、移動局とＯＦＤＭＡ方式に基づく無線通信を行う基地局とを備え、制御情報を送信する制御チャネルの通信品質の低下に応じて制御チャネルの配置を切り換える無線通信システムであって、基地局は、制御チャネルの通信品質が第１閾値以下となった場合、キャリアセンスを通じて移動局と無線通信可能な１または複数の切換チャネル候補を抽出するチャネル抽出部と、切換チャネル候補を含む切換チャネル選択指令を移動局に送信する選択指令送信部と、移動局からの選択応答を受信して、選択応答に含まれる切換チャネルを保持するチャネル保持部と、制御チャネルの通信品質が第１閾値より低い第２閾値以下となった場合、移動局に対して制御チャネルの切換チャネルへのチャネル切換指令を送信する切換指令送信部と、を備え、移動局は、基地局からの切換チャネル選択指令に応じ、切換チャネル候補に対してキャリアセンスを行い、基地局と無線通信可能である切換チャネルを含む選択応答を基地局に送信するチャネル選択部と、基地局からのチャネル切換指令に応じ、制御チャネルの切換チャネルへのチャネル切換を遂行するチャネル切換遂行部と、を備えることを特徴とする。【００２３】
本発明の他の態様は、移動局と、移動局とＯＦＤＭＡ方式に基づく無線通信を行う基地局とを備え、制御情報を送信する制御チャネルの通信品質の低下に応じて制御チャネルの配置を切り換える無線通信システムであって、移動局は、制御チャネルの通信品質が第１閾値以下となった場合、キャリアセンスを通じて基地局と無線通信可能な１または複数の切換チャネル候補を抽出するチャネル抽出部と、切換チャネル候補を含む切換チャネル選択指令を基地局に送信する選択指令送信部と、制御チャネルの通信品質が第１閾値より低い第２閾値以下となった場合、制御チャネルのチャネル切換要求を基地局に対して送信する切換要求送信部と、基地局からのチャネル切換指令に応じ、制御チャネルのチャネル切換指令に含まれる切換チャネルへのチャネル切換を遂行するチャネル切換遂行部と、を備え、基地局は、移動局からの切換チャネル選択指令に応じ、切換チャネル候補に対してキャリアセンスを行い、移動局と無線通信可能であるチャネルを切換チャネルとして保持するチャネル保持部と、チャネル切換要求に応じて、移動局に対して制御チャネルの切換チャネルへのチャネル切換指令を送信する切換指令送信部と、を備えることを特徴とする。【００２４】
上述した無線通信方法における技術的思想に対応する構成要素やその説明は、当該無線通信システムにも適用可能である。【００２５】
基地局は、チャネル保持部が保持している切換チャネルの有効時間経過を判断する有効タイマをさらに備えてもよい。【００２６】
かかる構成により、当該選択された切換チャネルに有効期限を設けることができ、有効タイマのタイムアウト後もなお通信品質が第１閾値以下であれば、その時点における最適な切換チャネルを再度選択することが可能となる。従って、電波環境の変化に拘わらず真に有効な切換チャネルを更新し続けることができる。【００２７】
なお、前記移動局と、前記基地局はＯＦＤＭＡ方式を採用したＰＨＳ  ＭｏＵに基づく無線通信を行った場合、前記制御チャネルはアンカーチャネルでもよい。  また、切換チャネル選択指令、選択応答、チャネル切換要求、またはチャネル切換指令は、エクストラチャネルを通じて送信されてもよい。【００２８】
エクストラチャネルにもこのような制御信号を格納する領域があり、かかる領域を利用して、上述した制御信号を送信することで、アンカーチャネルの制御信号を妨げることなく、アンカーチャネルの迅速かつ確実な切換が可能となる。
【発明の効果】
【００２９】
以上のように本発明の無線通信システムでは、規格を逸脱することなく、キャリアセンスを適切なタイミングで予め行うことで、制御チャネルの切換処理を短時間で完了し、無線通信の効率化と安定性の向上を図ることが可能となる。
【図面の簡単な説明】
【００３０】
【図１】第１の実施形態における無線通信システムの概略的な接続関係を示した説明図である。
【図２】ＰＨＳ  ＭｏＵにおいて送受信されるデータのフレーム構成を説明するための説明図である。
【図３】基地局の概略的な構成を示したブロック図である。
【図４】ＰＨＳ端末のハードウェア構成を示した機能ブロック図である。
【図５】ＰＨＳ端末の外観を示した斜視図である。
【図６】無線通信方法の処理の流れを示したシーケンス図である。
【図７】第２の実施形態におけるＰＨＳ端末の概略的な構成を示したブロック図である。
【図８】基地局の概略的な構成を示したブロック図である。
【図９】無線通信方法の処理の流れを示したシーケンス図である。
【図１０】従来におけるアンカーチャネルのチャネル配置の変更処理を示したシーケンス図である。
【符号の説明】
【００３１】
１００ …無線通信システム、
１１０ …ＰＨＳ端末（移動局）
１２０ …基地局
１８０ …アンカーチャネル
２３０ …チャネル抽出部
２３２ …選択指令送信部
２３４ …チャネル保持部
２３６ …有効タイマ
２３８ …切換指令送信部
３３０ …チャネル選択部
３３２ …チャネル切換遂行部
３３４ …端末応答確認タイマ
５１２ …切換要求送信部
【発明を実施するための最良の形態】
【００３２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。【００３３】
ＰＨＳ端末や携帯電話等に代表される移動局は、所定間隔をおいて固定配置される基地局と無線で通信を行う無線通信システムを構築する。本実施形態では、理解を容易にするため無線通信システム全体を説明し、その後、基地局、および移動局としてのＰＨＳ端末の具体的構成を説明する。また、本実施形態では、移動局としてＰＨＳ端末を挙げているが、かかる場合に限らず、携帯電話、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等無線通信可能な様々な電子機器を移動局として用いることもできる。【００３４】
（第1の実施形態：無線通信システム１００）
図１は、無線通信システム１００の概略的な接続関係を示した説明図である。当該無線通信システム１００は、ＰＨＳ端末１１０（１１０Ａ、１１０Ｂ）と、基地局１２０（１２０Ａ、１２０Ｂ）と、ＩＳＤＮ(Integrated Services Digital Network)回線、インターネット、専用回線等で構成される通信網１３０と、中継サーバ１４０とを含んで構成される。【００３５】
上記無線通信システム１００において、ユーザが自身のＰＨＳ端末１１０Ａから他のＰＨＳ端末１１０Ｂへの通信回線の接続を行う場合、ＰＨＳ端末１１０Ａは、通信可能範囲内にある基地局１２０Ａに無線接続要求を行う。無線接続要求を受信した基地局１２０Ａは、通信網１３０を介して中継サーバ１４０に通信相手との通信接続を要求し、中継サーバ１４０は、他のＰＨＳ端末１１０Ｂの位置登録情報を参照し、ＰＨＳ端末１１０Ｂの無線通信範囲内にある例えば基地局１２０Ｂを選択して基地局１２０Ａと基地局１２０Ｂとの通信経路を確保し、ＰＨＳ端末１１０ＡとＰＨＳ端末１１０Ｂの通信を確立する。【００３６】
このような無線通信システム１００においては、ＰＨＳ端末１１０と基地局１２０との通信速度および通信品質を向上させるため様々な技術が採用されている。本実施形態では、例えば、ＡＲＩＢ  ＳＴＤ  Ｔ９５やＰＨＳ  ＭｏＵ等の次世代ＰＨＳ通信技術が採用され、ＰＨＳ端末１１０と基地局１２０との間ではＴＤＤ（Time Division Duplex：時分割双方向伝送方式）／ＯＦＤＭＡ（またはＴＤＤ／ＯＦＤＭ）方式に基づいた無線通信が実行される。本実施形態では、このような無線通信におけるＭＣＳ（Modulation and Coding Scheme）や通信チャネルのマップ、エラー情報といった制御情報を伝送するアンカーチャネルの通信品質の劣化を検知して、そのチャネル配置を変更する。  なお、本実施形態では、上記のＡＲＩＢ  ＳＴＤ  Ｔ９５やＰＨＳ  ＭｏＵ等に基づいて説明を行っているが、本発明は、ＯＦＤＭＡ方式を採用している任意の通信方法に適用することができる。  また時分割はされていなくてもよい。【００３７】
図２は、ＰＨＳ  ＭｏＵにおいて送受信されるデータのフレーム構成を説明するための説明図である。ＯＦＤＭＡ（またはＯＦＤＭ）では、時間軸方向と周波数方向とに２次元化したマップを有し、周波数軸方向には均一のベースバンド距離をおいて複数のチャネル１６０が配され、各チャネル１６０には、ＴＤＭＡスロット１６２毎にＰＲＵ１７０が配される。【００３８】
従って、ＰＲＵ１７０はベースバンド距離に応じた９００ｋＨｚの占有帯域と時分割による６２５μｓｅｃの時間長で定義される。また、特定のＰＨＳ端末１１０との通信に利用されるフレームは、制御信号に関するアンカーチャネル（ＡＮＣＨ）１８０とデータを格納するエクストラチャネル（ＥＸＣＨ）１８２とから構成される。【００３９】
アンカーチャネル１８０は、ＦＭ−Ｍｏｄｅの制御信号であり、例えばＭＩ（Mcs Indicator）、ＭＲ（Mcs Requirement）、ＡＣＫフィールド、マップを含んでいる。ここで、ＭＩは、データを変調したときのＭＣＳのＭＣＳ識別子を示している。ＭＲは、自体へ送信されるデータのＭＣＳ要求である。時間的な観点で説明すると、ＭＩは当該ＭＣＳ識別子と同時に送信されるデータの変調に用いたＭＣＳを示し、ＭＲは次回以降に所望するＭＣＳを示している。ＡＣＫフィールドは、復調されたデータのエラー検出結果を示している。また、マップは、基地局１２０からＰＨＳ端末１１０への送信フレームにのみ存在し、エクストラチャネル１８２の割当を示す。【００４０】
エクストラチャネル１８２は、ＦＭ−Ｍｏｄｅにおける通信路としてユーザ毎に割り当てられるＰＲＵ１７０であり、図２に破線で示されるように１つのＰＨＳ端末１１０に複数割り当てることができる。かかるエクストラチャネル１８２の割当は、ＰＲＵ１７０が他のユーザに利用されているかどうかを判定するキャリアセンスを通じて行われる。割り当てられた結果は、上述したようにアンカーチャネル１８０のマップに示される。【００４１】
以下、このような無線通信システム１００における基地局１２０およびＰＨＳ端末１１０の具体的構成について述べる。【００４２】
（基地局１２０）
図３は、基地局１２０の概略的な構成を示したブロック図である。基地局１２０は、基地局制御部２１０と、基地局メモリ２１２と、基地局無線通信部２１４と、基地局有線通信部２１６とを含んで構成される。【００４３】
基地局制御部２１０は、中央処理装置（ＣＰＵ）を含む半導体集積回路により基地局１２０全体を管理および制御する。また、基地局制御部２１０は、基地局メモリ２１２のプログラムを用いて、ＰＨＳ端末１１０の通信網１３０や他のＰＨＳ端末１１０への通信接続を制御する。【００４４】
基地局メモリ２１２は、ＲＯＭ、ＲＡＭ、ＥＥＰＲＯＭ、不揮発性ＲＡＭ、フラッシュメモリ、ＨＤＤ等で構成され、基地局制御部２１０で処理されるプログラムや時刻情報等を記憶する。【００４５】
基地局無線通信部２１４は、ＰＨＳ端末１１０との通信を確立し、データの送受信を行う。また、ＰＨＳ端末１１０との通信品質に応じて効率のよい通信を行うための最適なＭＣＳを決定し、アンカーチャネル１８０を通じてＰＨＳ端末１１０にそのＭＣＳを要求することもできる。【００４６】
基地局有線通信部２１６は、通信網１３０を介して中継サーバ１４０を含む様々なサーバと接続することができる。【００４７】
また、本実施形態において基地局制御部２１０は、チャネル抽出部２３０、選択指令送信部２３２、チャネル保持部２３４、有効タイマ２３６、切換指令送信部２３８、基地局応答確認タイマ２４０としても機能する。【００４８】
チャネル抽出部２３０は、アンカーチャネルの通信品質を常時確認し、アンカーチャネルの通信品質がアンカーチャネルの切換が必要となる前段階の第１閾値以下となった場合、キャリアセンスを通じてＰＨＳ端末１１０と無線通信可能な１または複数の切換チャネル候補を抽出する。ここで、キャリアセンスは、ＰＨＳ端末１１０との送受信が遂行されるフレームの各チャネル（ＰＲＵ）における信号対干渉雑音比（ＳＩＮＲ：Signal to Interference and Noise Ratio）やビットエラーレートに基づいて行われる。【００４９】
選択指令送信部２３２は、チャネル抽出部２３０が抽出した１または複数の切換チャネル候補を切換チャネル選択指令に含め、その切換チャネル選択指令をＰＨＳ端末１１０に送信する。このとき、切換チャネル候補をＰＨＳ端末１１０に伝達するため、ＰＨＳ  ＭｏＵに予め準備されたCQI Report Indicationを利用してもよい。【００５０】
CQI Report Indicationは、元々ＰＨＳ端末１１０の通信品質を測定させるためのコマ
ンドであり、基地局１２０が選択したアンカーチャネルがＰＨＳ端末１１０においても通信品質を維持しているかどうか調べるために用いられている。かかるCQI Report Indicationを利用することで既存の規格を逸脱することなく新たなソフトウェアの追加を回避して複数の切換チャネル候補をＰＨＳ端末１１０に伝達することが可能となる。【００５１】
チャネル保持部２３４は、後述するＰＨＳ端末１１０のチャネル選択部３３０が上記切換チャネル選択指令に応じて送信した選択応答を受信し、この選択応答に含まれる切換チャネルを抽出、保持する。【００５２】
有効タイマ２３６は、チャネル保持部２３４が保持している切換チャネルが有効な時間、即ち、チャネル保持部２３４に切換チャネルが保持されてから設定された所定時間が経過するのを計時する。かかる有効タイマ２３６により、選択された切換チャネルに有効期限を設けることができ、有効タイマ２３６のタイムアウト後もなお通信品質が第１閾値以下であれば、その時点における最適な切換チャネルを再度選択することが可能となる。従って、電波環境の変化に拘わらず真に有効な切換チャネルを更新し続けることができる。また、有効タイマ２３６は、第１閾値からの回復、チャネル切換指令、第２の実施形態で述べるアンカーチャネル切換要求によっても停止する。【００５３】
切換指令送信部２３８は、アンカーチャネルの通信品質が第１閾値より低い第２閾値以下となった場合、ＰＨＳ端末１１０に対して、アンカーチャネルの、チャネル保持部２３４が保持している切換チャネルへのチャネル切換指令を送信する。【００５４】
基地局応答確認タイマ２４０は、切換指令送信部２３８がチャネル切換指令を送付した時点からカウントを開始する。そして、チャネル切換指令の送付に拘わらずＰＨＳ端末１１０からの応答が無いときタイムアウトし、そのチャネル切換処理を中止させ、引き続き旧チャネルによる通信を継続させる。こうして少なくとも無線通信を継続する。【００５５】
（ＰＨＳ端末１１０）
図４は、ＰＨＳ端末１１０のハードウェア構成を示した機能ブロック図であり、図５は、ＰＨＳ端末１１０の外観を示した斜視図である。ＰＨＳ端末１１０は、端末制御部３１０と、端末メモリ３１２と、表示部３１４と、操作部３１６と、音声入力部３１８と、音声出力部３２０と、端末無線通信部３２２とを含んで構成される。【００５６】
端末制御部３１０は、中央処理装置（ＣＰＵ）を含む半導体集積回路によりＰＨＳ端末１１０全体を管理および制御する。また、端末制御部３１０は、端末メモリ３１２のプログラムを用いて、通話機能、メール送受信機能、撮像機能、音楽再生機能、ＴＶ視聴機能も遂行する。【００５７】
端末メモリ３１２は、ＲＯＭ、ＲＡＭ、ＥＥＰＲＯＭ、不揮発性ＲＡＭ、フラッシュメモリ、ＨＤＤ等で構成され、端末制御部３１０で処理されるプログラムや音声データ等を記憶する。【００５８】
表示部３１４は、液晶ディスプレイ、ＥＬ(Electro Luminescence)ディスプレイ等で構成され、端末メモリ３１２に記憶された、または通信網１３０を介してアプリケーション中継サーバ（図示せず）から提供される、ＷｅｂブラウザやアプリケーションのＧＵＩ（Graphical User Interface）を表示することができる。【００５９】
操作部３１６は、キーボード、十字キー、ジョイスティック等のスイッチから構成され、ユーザの操作入力を受け付ける。【００６０】
音声入力部３１８は、マイク等の音声認識手段で構成され、通話時に入力されたユーザの音声をＰＨＳ端末１１０内で処理可能な電気信号に変換する。【００６１】
音声出力部３２０は、スピーカで構成され、ＰＨＳ端末１１０で受信した通話相手の音声信号を音声に変えて出力する。また、着信音や、操作部３１６の操作音、アラーム音等も出力できる。【００６２】
端末無線通信部３２２は、通信網１３０における基地局１２０との無線通信を確立し、データを送受信する。【００６３】
また、本実施形態において端末制御部３１０は、チャネル選択部３３０、チャネル切換遂行部３３２、端末応答確認タイマ３３４としても機能する。【００６４】
チャネル選択部３３０は、基地局１２０からの切換チャネル選択指令に応じ、その切換チャネル選択指令に示された１または複数の切換チャネル候補に対してキャリアセンスを行い、基地局１２０と無線通信可能かつ通信品質が最良のチャネルである切換チャネルを選択し、選択応答に含めて基地局１２０に送信する。このとき、切換チャネルを基地局１２０に伝達するため、ＰＨＳ  ＭｏＵに予め準備されたCQI Reportを利用してもよい。  なお、チャネル選択部３３０は、基地局１２０と無線通信可能なチャネルであれば、必ずしも通信品質が最良のチャネルを切換チャネルとして選択しなくても良い。  【００６５】
CQI Reportは、元々CQI Report Indicationの通信品質測定要求に対する結果を返信するための応答信号である。かかるCQI Reportを利用することで、CQI Report Indication同様、既存の規格を逸脱することなく新たなソフトウェアの追加を回避して切換チャネルを基地局１２０に伝達することが可能となる。【００６６】
チャネル切換遂行部３３２は、基地局１２０からのチャネル切換指令に応じ、チャネル切換指令に含まれる切換チャネルへのチャネル切換を遂行する。【００６７】
端末応答確認タイマ３３４は、切換指令送信部２３８が基地局１２０からのチャネル切換指令を受信した時点からカウントを開始し、基地局１２０からの応答が無いときタイムアウトし、そのチャネル切換処理を中止させ、引き続き旧チャネルによる通信を継続させる。【００６８】
以上説明したＰＨＳ端末１１０おおび基地局１２０の構成により、通信品質が、アンカーチャネルの切換が必要となる第２閾値より前段階の第１閾値以下になった時点でアンカーチャネルの切換先候補（切換チャネル）が選択される。そして、通信品質が第２閾値以下になるときにはアンカーチャネルを直ちに切り換えることができる。このように、煩雑（常時または定期的）ではない適切なタイミングでキャリアセンスを行うことで、処理負荷や消費電力の増大を抑制しつつ、アンカーチャネルの切換処理を短時間で完了し、新たなアンカーチャネルの早期確立により無線通信の効率化と安定性の向上を図ることが可能となる。【００６９】
また、切換チャネルの選択において、基地局１２０は、無線通信可能な複数の切換チャネル候補を抽出でき、ＰＨＳ端末１１０はその中から切換チャネルを選択することができる。  このため、基地局１２０が選択した１つのチャネルの採用可否をＰＨＳ端末１１０が判断する従来の技術に比べて切換チャネルを適切に選択できる確率を大幅に高めることができる。【００７０】
次に、上述したＰＨＳ端末１１０や基地局１２０を用いてアンカーチャネルの通信品質の低下に応じて、アンカーチャネルの配置を切り換える無線通信方法を説明する。【００７１】
（無線通信方法）
図６は、無線通信方法の処理の流れを示したシーケンス図である。ＰＨＳ端末１１０は、基地局１２０からのＳＣＣＨ（Signaling Control Channel）で指定されたチャネルに配置されたアンカーチャネルと、アンカーチャネルを介して指定されるエクストラチャネルとによって通信を遂行している（Ｓ４００）。ここで、基地局１２０が、アンカーチャネルの通信品質が第１閾値以下となったことを検出すると（Ｓ４０２）、通信可能な全チャネルに対してキャリアセンスを行い、ＰＨＳ端末１１０と無線通信可能な１または複数の切換チャネル候補を抽出する（Ｓ４０４）。そして、その切換チャネル候補を含む切換チャネル選択指令（CQI Report Indication）を、ＥＤＣＨ（EXCH Data Channel）を通じて、ＰＨＳ端末１１０に送信する（Ｓ４０６）。【００７２】
ＰＨＳ端末１１０は、基地局１２０からの切換チャネル選択指令に応じ、切換チャネル候補に対してキャリアセンスを行い（Ｓ４０８）、基地局１２０と無線通信可能かつ通信品質が最良のチャネルである切換チャネルを含む選択応答(CQI Report)を基地局１２０に送信する（Ｓ４１０）。  なお、上述のように切換チャネルは、基地局１２０と無線通信可能なチャネルであれば、通話品質が最良なチャネルでなくてもよい。【００７３】
基地局１２０は、ＰＨＳ端末１１０からの選択応答を受信して、選択応答に含まれる切換チャネルを保持し、有効タイマ２３６のカウントを開始する（Ｓ４１２）。【００７４】
そして、基地局１２０が、アンカーチャネルの通信品質が第２閾値以下となったことを検出すると（Ｓ４２０）、保持された切換チャネルを含むチャネル切換指令をＰＨＳ端末１１０に送信する（Ｓ４２２）。また、基地局１２０では、チャネル切換指令の送信と同時に基地局応答確認タイマ２４０のカウントが開始される（Ｓ４２４）。【００７５】
ＰＨＳ端末１１０は、チャネル切換指令を受信すると、基地局応答確認タイマ同様、端末応答確認タイマ３３４のカウントを開始し（Ｓ４２６）、チャネル切換指令に示される切換チャネルを新たなアンカーチャネルとして、旧アンカーチャネルと共に同一の制御信号によるアップリンク送信を開始する（Ｓ４２８）。【００７６】
新アンカーチャネルおよび旧アンカーチャネルによる制御信号を受信した基地局１２０は、ＰＨＳ端末１１０同様、その新たなアンカーチャネルと旧アンカーチャネルと同一の制御信号によるダウンリンク送信を開始する（Ｓ４３０）。【００７７】
ＰＨＳ端末１１０は、新アンカーチャネルおよび旧アンカーチャネルのダウンリンク制御信号を受信すると、ダウンリンク同期が確立したと判断してＰＨＳ端末応答確認タイマ３３４を停止する（Ｓ４３２）。そして、旧アンカーチャネルを切断、開放し（Ｓ４３４）、その旨新アンカーチャネルを通じて基地局１２０に伝達する（Ｓ４３６）。【００７８】
これを受けて基地局１２０は、アップリンク同期が確立したと判断して基地局応答確認タイマ２４０を停止する（Ｓ４３８）。そして、旧アンカーチャネルを切断、開放する（Ｓ４４０）。こうして新アンカーチャネルによる通信が確立される（Ｓ４４２）。【００７９】
かかる無線通信方法によると、基地局１２０が通信品質の劣化（第２閾値以下）を検知してからチャネルが切り換わるまでの時間（図中両矢印太線で示す）が大幅に短縮されている。【００８０】
また、上述した切換チャネル選択指令、選択応答、チャネル切換要求、またはチャネル切換指令は、エクストラチャネルを通じて送信される。エクストラチャネルのＭＡＣフレームにもこのような制御信号を格納する領域がある。【００８１】
（第２の実施形態）
上述した実施形態では、基地局１２０が通信品質の劣化を検知しているが、本実施形態では、ＰＨＳ端末１１０が通信品質の劣化を検知している。従って、通信品質の劣化を検知したノードが主体となってアンカーチャネルの切換準備を開始できるので、通信品質の悪いノード側、即ち、真にアンカーチャネル切換を必要とするノード側でそのトリガをかけることができる。【００８２】
（ＰＨＳ端末１１０、基地局１２０）
図７は、ＰＨＳ端末１１０の概略的な構成を示したブロック図、図８は、基地局１２０の概略的な構成を示したブロック図である。ＰＨＳ端末１１０は、端末制御部５１０と、端末メモリ３１２と、表示部３１４と、操作部３１６と、音声入力部３１８と、音声出力部３２０と、端末無線通信部３２２とを含んで構成される。また、本実施形態において端末制御部５１０は、チャネル抽出部２３０、選択指令送信部２３２、切換要求送信部５１２、チャネル切換遂行部３３２、端末応答確認タイマ３３４としても機能する。【００８３】
基地局１２０は、基地局制御部５２０と、基地局メモリ２１２と、基地局無線通信部２１４と、基地局有線通信部２１６とを含んで構成される。また、本実施形態において基地局制御部５２０は、チャネル保持部２３４、有効タイマ２３６、切換指令送信部２３８、基地局応答確認タイマ２４０としても機能する。【００８４】
第１の実施形態において既に述べた構成要素は、その属するノード装置が異なる構成要素があるものの、その機能は実質的に同一なので重複説明を省略し、ここでは、構成が相違する切換要求送信部５１２のみを説明し、その他の詳細な違いは以下のフローチャートをもってその説明に代える。【００８５】
本実施形態では、アンカーチャネルの切換チャネルを基地局１２０が保持し、チャネル切換指令も基地局１２０から出力される。従って、通信品質の劣化をＰＨＳ端末１１０が検知し、そのトリガをＰＨＳ端末１１０がかけたとしても最終的なチャネル切換指令は基地局１２０が行う。切換要求送信部５１２は、アンカーチャネルの通信品質が第２閾値以下となった場合、アンカーチャネルのチャネル切換要求を基地局１２０に対して送信し、基地局１２０にチャネル切換指令を送信させている。【００８６】
（無線通信方法）
図９は、無線通信方法の処理の流れを示したシーケンス図である。ＰＨＳ端末１１０は、基地局１２０からのＳＣＣＨ（Signaling Control Channel）で指定されたチャネルに
配置されたアンカーチャネルと、アンカーチャネルを介して指定されるエクストラチャネルとによって通信を遂行している（Ｓ６００）。ここで、ＰＨＳ端末１１０が、アンカーチャネルの通信品質が第１閾値以下となったことを検出すると（Ｓ６０２）、キャリアセンスを行い、基地局１２０と無線通信可能な１または複数の切換チャネル候補を抽出し（Ｓ６０４）する。そしてその切換チャネル候補を含む切換チャネル選択指令(CQI Report)をＥＤＣＨ（EXCH Data Channel）を通じて、基地局１２０に送信する（Ｓ６０６）。【００８７】
基地局１２０は、ＰＨＳ端末１１０からの切換チャネル選択指令に応じ、切換チャネル候補に対してキャリアセンスを行い（Ｓ６０８）、ＰＨＳ端末１１０と無線通信可能かつ通信品質が最良のチャネルである切換チャネルを保持する。そして、有効タイマ２３６のカウントを開始する（Ｓ６１０）。  なお、切換チャネルは、ＰＨＳ端末１１０が無線通信可能なチャネルであれば、通信品質が最良でなくてもよい。【００８８】
そして、ＰＨＳ端末１１０が、アンカーチャネルの通信品質が第２閾値以下となったことを検出すると（Ｓ６１８）、チャネル切換要求を基地局１２０に送信する（Ｓ６２０）。また、ＰＨＳ端末１１０では、チャネル切換要求の送信と同時に端末応答確認タイマ３３４のカウントが開始される（Ｓ６２２）。【００８９】
基地局１２０は、アンカーチャネル切換要求を受信すると、端末応答確認タイマ同様、基地局応答確認タイマ２４０のカウントを開始し（Ｓ６２４）、チャネル切換指令をＰＨＳ端末１１０に送信する（Ｓ６２６）。ＰＨＳ端末１１０は、基地局１２０からのチャネル切換指令に示される切換チャネルを新たなアンカーチャネルとして、旧アンカーチャネルと共に同一の制御信号によるアップリンク送信を開始する（Ｓ６２８）。【００９０】
新アンカーチャネルおよび旧アンカーチャネルによる制御信号を受信した基地局１２０は、ＰＨＳ端末１１０同様、その新たなアンカーチャネルと旧アンカーチャネルと同一の制御信号によるダウンリンク送信を開始する（Ｓ６３０）。【００９１】
ＰＨＳ端末１１０は、新アンカーチャネルおよび旧アンカーチャネルのダウンリンク制御信号を受信すると、ダウンリンク同期が確立したと判断してＰＨＳ端末応答確認タイマ３３４を停止する（Ｓ６３２）。そして、旧アンカーチャネルを切断、開放し（Ｓ６３４）、その旨基地局に伝達する（Ｓ６３６）。【００９２】
これを受けて基地局１２０は、アップリンク同期が確立したと判断して基地局応答確認タイマ２４０を停止し（Ｓ６３８）、旧アンカーチャネルを切断、開放する（Ｓ６４０）。こうして新アンカーチャネルによる通信が確立される（Ｓ６４２）。【００９３】
かかる無線通信方法によると、ＰＨＳ端末１１０が通信品質の劣化（第２閾値以下）を検知してからチャネルが切り換わるまでの時間（図中両矢印太線で示す）が大幅に短縮されている。【００９４】
第１の実施形態および第２の実施形態に示すように、通信品質の劣化を検出したノードが主体となってアンカーチャネルの切り換えを行うことで、アンカーチャネルの切換処理を短時間で完了し、無線通信の効率化と安定性の向上を図ることが可能となる。【００９５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。【００９６】
上述した実施形態では、特徴的な構成要素が基地局制御部２１０または端末制御部３１０で機能しているが、かかる場合に限られず、例えば、基地局無線通信部２１４や端末無線通信部３２２等においてハードウェアで構成することも可能である。【００９７】
また、上述した実施形態では、第１閾値と第２閾値を同一のノードで判断する例を挙げているが、かかる場合に限られず、第１閾値を基地局１２０、第２閾値をＰＨＳ端末１１０で判断することやその逆も可能である。【００９８】
なお、本明細書の無線通信方法における各工程は、必ずしもシーケンス図として記載された順序に沿って時系列に処理する必要はなく、並列的あるいはサブルーチンによる処理を含んでもよい。【００９９】
本出願は、２００８年３月２８日出願の日本特許出願・出願番号２００８−０８５１４２に基づくものであり、その内容はここに参照として取り込まれる。
【産業上の利用可能性】
【０１００】
本発明は、ＯＦＤＭＡ方式を採用した、例えばＰＨＳ  ＭｏＵに基づく無線通信における制御情報を送信する制御チャネル（アンカーチャネル）の通信品質の低下に応じて制御チャネルの配置を切り換える無線通信方法および無線通信システムに利用可能である。
【図１】
2009119767.tif 000003
【図２】
2009119767.tif 000004
【図３】
2009119767.tif 000005
【図４】
2009119767.tif 000006
【図５】
2009119767.tif 000007
【図６】
2009119767.tif 000008
【図７】
2009119767.tif 000009
【図８】
2009119767.tif 000010
【図９】
2009119767.tif 000011
【図１０】
2009119767.tif 000012
【国際調査報告】
2009119767.tif 000013
2009119767.tif 000014